(57)【要約】【課題】一例として、媒体の取り出しがより円滑に行われやすい媒体処理装置を得る。【解決手段】実施形態にかかる媒体処理装置は、保持部と、ローラと、処理部と、を備える。保持部は、上下方向に積み重ねられた複数の媒体を保持する。ローラは、積み重ねられた複数の媒体のうち最も下に位置する媒体の下面と接して回動することにより、当該最も下に位置する媒体を保持部外へ向けて搬送するとともに、積み重ねられた複数の媒体を上方または下方へ動かす。処理部は、保持部から出た媒体に所定の処理を施す。【選択図】図１３
2014058111.tif 000002
【特許請求の範囲】
【請求項１】
上下方向に積み重ねられた複数の媒体を保持する保持部と、
前記積み重ねられた複数の媒体のうち最も下に位置する媒体の下面と接して回動することにより、当該最も下に位置する媒体を前記保持部外へ向けて搬送するとともに、前記積み重ねられた複数の媒体を上方または下方へ動かすローラと、
前記保持部から出た前記媒体に所定の処理を施す処理部と、
を備えた、媒体処理装置。
【請求項２】
前記ローラが、回動することにより、前記最も下に位置する媒体が前記保持部内の位置から前記保持部外の位置へ移動するまでの間に、前記積み重ねられた複数の媒体を複数回上方または下方へ動かすよう構成された、請求項１に記載の媒体処理装置。
【請求項３】
前記ローラの外周面には、曲面部と、当該曲面部より前記ローラの回動軸に近い側に位置された凹部と、が設けられた、請求項１または２に記載の媒体処理装置。
【請求項４】
前記凹部に、前記回動軸と平行な平面部が含まれた請求項３に記載の媒体処理装置。
【請求項５】
前記ローラの外周面に、凹部または凸部が設けられた、請求項１または２に記載の媒体処理装置。
【発明の詳細な説明】
【技術分野】
【０００１】
本発明の実施形態は、媒体処理装置に関する。
【背景技術】
【０００２】
従来、上下方向に積み重ねられた複数のカード状の媒体からローラを用いて媒体を取り出す装置が知られている。
【先行技術文献】
【特許文献】
【０００３】
【特許文献１】特開昭５９−４８３４０号公報
【発明の概要】
【発明が解決しようとする課題】
【０００４】
この種の装置では、例えば、媒体の取り出しがより円滑に行われるのが好ましい。
【課題を解決するための手段】
【０００５】
本発明の実施形態にかかる媒体処理装置は、保持部と、ローラと、処理部と、を備える。保持部は、上下方向に積み重ねられた複数の媒体を保持する。ローラは、積み重ねられた複数の媒体のうち最も下に位置する媒体の下面と接して回動することにより、当該最も下に位置する媒体を保持部外へ向けて搬送するとともに、積み重ねられた複数の媒体を上方または下方へ動かす。処理部は、保持部から出た媒体に所定の処理を施す。
【図面の簡単な説明】
【０００６】
【図１】図１は、実施形態にかかる媒体処理装置の一例の模式的な側面図である。
【図２】図２は、実施形態にかかる媒体処理装置の一例の媒体供給部の模式的な正面図である。
【図３】図３は、実施形態にかかる媒体処理装置の一例の媒体供給部の模式的な側面図である。
【図４】図４は、実施形態にかかる媒体処理装置で処理される媒体の一例の平面図である。
【図５】図５は、実施形態にかかる媒体処理装置の一例の媒体供給部に含まれるカートリッジの背面図である。
【図６】図６は、実施形態にかかる媒体処理装置の一例の媒体供給部に含まれるカートリッジの分解側面図である。
【図７】図７は、実施形態にかかる媒体処理装置の一例の媒体供給部に含まれるカートリッジの下面図（平面図）である。
【図８】図８は、実施形態にかかる媒体処理装置の一例のローラを軸方向から見た図である。
【図９】図９は、実施形態にかかる媒体処理装置の一例の媒体の取り出しに関わる部分のブロック図である。
【図１０】図１０は、実施形態にかかる媒体処理装置の一例の媒体供給部から媒体が取り出される手順の一例が示されたフローチャートである。
【図１１】図１１は、実施形態にかかる媒体処理装置の一例の媒体供給部の概略構成が示された模式的な側面図であって、ローラが待避位置および初期角度にある状態が示された図である。
【図１２】図１２は、実施形態にかかる媒体処理装置の一例の媒体供給部の概略構成が示された模式的な側面図であって、ローラが当接位置および初期角度にある状態が示された図である。
【図１３】図１３は、実施形態にかかる媒体処理装置の一例の媒体供給部の概略構成が示された模式的な側面図であって、ローラが当接位置にあって図１２より回動した状態が示された図である。
【図１４】図１４は、実施形態にかかる媒体処理装置の一例の媒体供給部の概略構成が示された模式的な側面図であって、ローラが当接位置にあって図１３より回動した状態が示された図である。
【図１５】図１５は、実施形態にかかる媒体処理装置の一例の媒体供給部の概略構成が示された模式的な側面図であって、ローラが図１４の位置から退避位置に移動した状態が示された図である。
【図１６】図１６は、実施形態の第一変形例にかかる媒体処理装置の一例の媒体供給部の概略構成が示された模式的な側面図であって、ローラが待避位置および初期角度にある状態が示された図である。
【図１７】図１７は、実施形態の第二変形例にかかる媒体処理装置に含まれる媒体供給部のローラを軸方向から見た図である。
【図１８】図１８は、実施形態の第三変形例にかかる媒体処理装置に含まれる媒体供給部のローラを軸方向から見た図である。
【図１９】図１９は、実施形態の第四変形例にかかる媒体処理装置に含まれる媒体供給部のローラを軸方向から見た図である。
【発明を実施するための形態】
【０００７】
以下の例示的な実施形態や変形例には、同様の構成要素が含まれている。よって、以下では、同様の構成要素には共通の符号が付されるとともに、重複する説明が省略される。
【０００８】
＜第１実施形態＞
本実施形態では、一例として、図１に示されるように、媒体処理装置１は、媒体供給部２（ホッパ）や、印画部３Ａ〜３Ｃ（印刷部、画像形成部）、印字部３Ｄ（印刷部、画像形成部）、紫外線保護層形成部４、表面保護層形成部５、媒体蓄積部６（スタッカ）、収容部７等を備えている。印画部３Ａ〜３Ｃや、印字部３Ｄ、紫外線保護層形成部４、表面保護層形成部５等は、カード状の扁平な媒体１０（図４参照、ただし、図４は処理済み品）に所定の処理を施す処理部の一例である。媒体供給部２のカートリッジ２４（図５〜７参照）内には複数の媒体１０が収容されている。媒体１０は、媒体供給部２から一枚ずつ取り出され、図１には示されない搬送装置（搬送機構）によって、下流側に搬送され、処理部で逐次処理される。処理部での処理が完了した媒体１０（例えば、完成した媒体１０）は、媒体蓄積部６に蓄積される。媒体処理装置１は、例えば、免許証等の媒体の作成装置（印刷装置）として構成されうる。
【０００９】
印画部３Ａ〜３Ｃは、媒体供給部２から供給された媒体１０に、例えば、Ｙ（イエロー）、Ｍ（マゼンタ）、Ｃ（シアン）の三色を順次重ね合わせて感熱昇華印刷する。三色のそれぞれについて一つの印画部（印画部３Ａ〜３Ｃのうちいずれか）が設けられている。また、印画部３Ａ〜３Ｃは、それぞれ、プラテンローラや、ヘッド、インクリボン（ロール）、インクリボンの供給軸、インクリボンの巻取軸等（いずれも図示されず）を有している。これらカラーの印画部３Ａ〜３Ｃは、一例としては、画像の印刷等に使用される。
【００１０】
印字部３Ｄは、印画部３Ａ〜３Ｃで処理された媒体１０に、例えば、Ｂ（ブラック）の一色を感熱昇華印刷する。印字部３Ｄは、プラテンローラや、ヘッド、インクリボン（ロール）、インクリボンの供給軸、インクリボンの巻取軸等（いずれも図示されず）を有している。モノクロ（黒）の印字部３Ｄは、一例としては、文字の印刷等に使用される。
【００１１】
紫外線保護層形成部４は、印画部３Ａ〜３Ｃならびに印字部３Ｄで処理（印刷）された媒体１０の表面に、紫外線保護層（膜）を形成する。紫外線保護層形成部４は、プラテンローラや、ヘッド、転写膜リボン（ロール）、転写膜リボンの供給軸、転写膜リボンの巻取軸等（いずれも図示されず）を有している。転写膜は、加熱されたヘッドにより、転写膜リボンから媒体１０の表面に感熱転写される。
【００１２】
表面保護層形成部５は、紫外線保護層形成部４で紫外線保護層が形成された媒体１０の表面に、保護層（膜）を形成する。表面保護層形成部５は、例えば、熱転写あるいは塗布等により、媒体１０の表面に形成される。また、表面保護層形成部５には、保護層強化部（図示されず）が設けられる。保護層強化部は、紫外線照射部（例えば水銀灯、図示されず）を有し、当該照射された紫外線により、表面保護層が硬化される。紫外線保護層形成部４で形成される紫外線保護膜は、保護層強化部で照射される紫外線による画像の劣化を抑制するのに効果がある。
【００１３】
媒体蓄積部６には、表面保護層が形成された後、バリ等が取り除かれたり、ＩＣチップにデータがライトされたり（書き込まれたり）するなどの処理が完了した（完成した）複数の媒体１０が、蓄積される。媒体蓄積部６では、媒体１０の種類毎に区分して、媒体１０を蓄積されうる。また、収容部７には、制御ユニットや、廃棄物の収容ユニット、ファン等が収容される。
【００１４】
媒体供給部２は、本実施形態では、一例として、図２，３に示されるように、レール２１（案内部）や、スライダ２２（移動部、スライド部）、キャリッジ２３（保持部、支持部）、カートリッジ２４（保持部、支持部、ケース、カセット）、ベルト２５（伝達部）、モータ２６（回動部、駆動源）、ローラ２７（プーリ）等を備えている。本実施形態では、媒体供給部２が、媒体取出装置の一例である。
【００１５】
レール２１は、横方向（水平方向）に沿って延びている。スライダ２２は、レール２１に、その長手方向に沿って移動可能に支持されている。キャリッジ２３は、スライダ２２に接続（固定）されている。よって、キャリッジ２３も、レール２１に、その長手方向に沿って移動可能に支持されている。キャリッジ２３は、カートリッジ２４を着脱可能に支持する。カートリッジ２４は、複数の媒体１０を、上下方向に積み重ねられた状態で収容することができる。ベルト２５（エンドレスベルト）は、複数のローラ２７の間に架け渡されている（掛け回されている）。図２では右側のローラ２７は、モータ２６のシャフト（図示されず）に固定され、当該シャフトの回動に伴って回動する。図２では左側のローラ２７は、モータ２６のシャフトとは接続されず、ベルト２５によって回動される。ベルト２５には、スライダ２２が接続（固定）されている。ベルト２５のスライダ２２と接続された部分は、スライダ２２の長手方向に沿って延びている。かかる構成において、モータ２６のシャフトが回動すると、当該シャフトに固定されたローラ２７が回動し、ベルト２５が回り、ベルト２５のスライダ２２と接続された部分がレール２１に沿って移動する。よって、スライダ２２、キャリッジ２３、ひいてはカートリッジ２４が、レール２１に沿って移動する。制御部１１（図９参照）は、モータ２６の動作（ロータ（図示されず）およびシャフトの回動角度）を制御することにより、キャリッジ２３およびカートリッジ２４の位置を変更することができる。媒体供給部２では、媒体１０が取り出される位置が決められている（例えば、図２中のＡ）よって、媒体処理装置１では、制御部１１によるモータ２６の制御により、媒体１０が印画部３Ａ側（図１，３では右側、図２では紙面奥側）に取り出されるキャリッジ２３およびカートリッジ２４を変更する（切り替える）ことができる。
【００１６】
本実施形態では、一例として、図４に示されるように、媒体１０（紙片、札、カード）は、扁平な四角形状（長方形状）である。媒体１０は面１０ａ（上面、表面）と、その反対側の面１０ｂ（下面、裏面）と、を有している。媒体処理装置１は、主として、媒体１０の面１０ａに所定の処理を施す。また、媒体処理装置１は、面１０ｂに所定の処理を施すことができるように構成されうる。
【００１７】
本実施形態では、一例として、図５〜７に示されるように、カートリッジ２４は、直方体状かつ箱状に構成される。カートリッジ２４は、壁部２４ａ（底壁、下壁）や、壁部２４ｂ（天壁、上壁）、壁部２４ｃ〜２４ｆ（側壁、横壁）等を有する。カートリッジ２４内には、壁部２４ａ〜２４ｆによって囲まれた媒体１０の直方体状の収容部２４ｇ（空間）が設けられる。壁部２４ｃは、壁部２４ｄ，２４ｆに着脱可能に構成される。よって、壁部２４ｃは、収容部２４ｇを覆う（塞ぐ）蓋部材の一例である。図５に示されるように壁部２４ｃが取り外されることで、開口部２４ｈを介して、カートリッジ２４内（収容部２４ｇ内）に媒体１０が収容されうる。カートリッジ２４は、キャリッジ２３に着脱可能に取り付けられる（装着される、接続される、固定される）。
【００１８】
また、図５，６に示されるように、カートリッジ２４（収容部２４ｇ）内には、複数の媒体１０が、横方向（水平方向）に沿って置かれるとともにその厚さ方向に積み重ねられた状態で、収容されている。カートリッジ２４の壁部２４ｅには、ゲート２４ｉ（開口部、取出口、出入口）が設けられている。媒体１０は、ゲート２４ｉを介して取り出される。なお、ゲート２４ｉの一部は、キャリッジ２３に装着されたゲート部材（抑制部、ガイド部、部材、図示されず）で覆われることができる。ゲート部材は、媒体１０の流出を抑制することができるとともに、複数の媒体１０を微少な隙間があけられた状態で保持することができる。本実施形態では、カートリッジ２４や、キャリッジ２３（抑制部材）が、媒体１０を保持する保持部の一例である。
【００１９】
また、図７に示されるように、カートリッジ２４の壁部２４ａには、スリット状の開口部２４ｊが設けられている。この開口部２４ｊから、媒体１０を取り出すローラ８Ａの一部（上部、接触部）がカートリッジ２４内（収容部２４ｇ内、壁部２４ａ上）に入る（進入する、挿入される）ことができる。ローラ８Ａは、カートリッジ２４内の最も下方に位置する媒体１０の面１０ｂに当接する（図１１参照）。そして、ローラ８Ａが回動することにより、カートリッジ２４内に収容され積み重ねられた媒体１０（スタック１０Ｓ）のうち最も下に位置する媒体１０が、カートリッジ２４外へ搬送される。
【００２０】
また、図８に示されるように、ローラ８Ａは、本実施形態では、一例として、Ｄ字状の断面形状を有している。ローラ８Ａの外周面８ａは、曲面部８ｂと平面部８ｃとを含む。曲面部８ｂは、回動軸Ａｘからの距離が一定な円筒面の一部である。平面部８ｃは、回動軸Ａｘと平行である。平面部８ｃは、曲面部８ｂよりも回動軸Ａｘからの距離が近い凹部の一例である。また、曲面部８ｂと平面部８ｃとの境界部分の角部は、外周面８ａに設けられた凸部（突出部）の一例である。また、曲面部８ｂは、平面部８ｃよりも回動軸Ａｘからの距離が遠い凸部の一例であると言うことができる。
【００２１】
上述したようなローラ８Ａの回動によるカートリッジ２４からの媒体１０の取り出しを実行するため、媒体処理装置１は、図９に示されるような制御装置（制御回路）を備えている。媒体処理装置１は、制御部１１や、ローラ移動部１２、ローラ回動部１３、ローラ回動角度センサ１４、媒体センサ１５、第二ローラ回動部１６、出力部１７等を備えている。これら各部は、コントローラ１１ａ，１１ｂ，１１ｅ，１１ｆや、アンプ１１ｃ，１１ｄ等を介して、制御部１１に電気的に接続されている。制御部１１は、コントローラ１１ａ，１１ｂ，１１ｅ，１１ｆを介して、ローラ移動部１２や、ローラ回動部１３、第二ローラ回動部１６、出力部１７等を制御する。また、制御部１１は、アンプ１１ｃ，１１ｄを介して、ローラ回動角度センサ１４や、媒体センサ１５等の検出結果を得る。
【００２２】
ローラ移動部１２は、ローラ８Ａを、少なくとも、退避位置Ｐ０（第一の位置、離間位置、引込位置、図１１参照）と当接位置Ｐ１（第二の位置、近接位置、突出位置、動作位置、図１２参照）との間で動かす。ローラ移動部１２は、例えば、ソレノイドであることができる。ローラ回動部１３は、ローラ８Ａを回動する。ローラ回動部１３は、例えば、モータであることができる。ローラ回動角度センサ１４は、ローラ８Ａの回動角度を検出する。ローラ回動角度センサ１４は、例えば、ロータリエンコーダであることができる。媒体センサ１５は、媒体１０が所定の位置にあるか否かを検出する。媒体センサ１５は、例えば、光電センサであることができる。第二ローラ回動部１６は、第二ローラ９（図３，図１１参照）を回動する。第二ローラ回動部１６は、例えば、モータであることができる。出力部１７（図１参照）は、異常が生じた場合に、異常が生じたことに対応した所定の出力（例えば、表示出力や、音声出力等）を行う。出力部１７は、例えば、ランプや、ディスプレイ、ブザー、スピーカ等であることができる。
【００２３】
ここで、図１０〜１５を参照して、媒体１０の取り出し手順の一例が説明される。図１０は、一枚の媒体１０を取り出す手順の一例が示されたフローチャートである。媒体供給部２は、カートリッジ２４内に収容されスタックされた媒体１０（スタック１０Ｓ）のうち最も下に位置する媒体１０を、カートリッジ２４内の位置Ｐｉ（図１１参照）から、ゲート２４ｉを通って、カートリッジ２４外の位置Ｐｏ（図１５参照）に向けて、側方（印画部３Ａ側、図１１〜１５の右側）へ移動する。なお、媒体１０の搬送路Ｌは、カートリッジ２４の壁部２４ａ，２４ｄ，２４ｆや、ローラ８Ａ、第二ローラ９、図示されないガイド部材等によって定まる。
【００２４】
媒体１０のカートリッジ２４からの取り出しが開始される前、ローラ８Ａは、図１１に示されるように、退避位置Ｐ０にある。この状態では、ローラ８Ａの回動角度は、初期角度（姿勢）Ｒ０である。なお、退避位置Ｐ０では、ローラ８Ａは、その回動角度によらず、媒体１０には当接しない。
【００２５】
次に、制御部１１は、ローラ移動部１２を制御して、ローラ８Ａを、退避位置Ｐ０から当接位置Ｐ１に動かす（ステップＳ１、図１２）。この状態で、ローラ８Ａは、カートリッジ２４内で積み重ねられた複数の媒体１０のうち最も下に位置された媒体１０の面１０ｂに当接する。本実施形態では、一例として、この状態、すなわち、ローラ８Ａが当接位置Ｐ１にありかつ初期角度Ｒ０にある状態では、媒体１０の面１０ｂとローラ８Ａの平面部８ｃとが当接している（接している）。すなわち、ローラ８Ａと媒体１０とがより広い領域（面積）で接することができる。
【００２６】
ここで、図１１，１２等に示されるように、ローラ移動部１２は、ボディ１２ａや、ロッド１２ｂ、アーム１２ｃ等を有する。ロッド１２ｂはボディ１２ａに対して突没可能（移動可能）であり、突出側および没入側の二箇所に位置することができる。ロッド１２ｂとアーム１２ｃの一端部とは相互に回動可能に接続されている。また、アーム１２ｃの他端部には、ローラ回動部１３が設けられている。ローラ８Ａは、ローラ回動部１３に接続され、当該ローラ回動部１３によって回動される。アーム１２ｃの中間部は、媒体供給部２に回動可能に固定されている。このような構成において、ローラ移動部１２のロッド１２ｂの移動に伴って、アーム１２ｃが回動し、これにより、ローラ回動部１３およびローラ８Ａが、退避位置Ｐ０（図１１，１５）と当接位置Ｐ１（図１２〜１４）との間で移動する。
【００２７】
次に、制御部１１は、ローラ回動部１３を制御して、ローラ８Ａを、初期角度Ｒ０から図１１，１２の時計回り方向に回動させる（ステップＳ２、図１２）。制御部１１は、ローラ回動角度センサ１４（図９参照）より、ローラ８Ａの回動角度を取得する（ステップＳ３）。そして、ローラ８Ａの回動角度が、所定角度（閾値）を超えた時点から（ステップＳ３でＹｅｓ）、制御部１１は、媒体センサ１５より、媒体１０の検出結果の取得を開始する（ステップＳ４）。なお、ローラ８Ａの回動角度が所定角度を超えるまでの間は（ステップＳ３でＮｏ）、制御部１１は、媒体センサ１５での媒体１０の検出結果を取り扱わず、そのままステップＳ２に戻る。
【００２８】
ローラ８Ａの回動角度が所定角度を超えた後、ローラ８Ａが、さらに図１３，１４に示されるように回動し（回動角度Ｒ１，Ｒ２）、制御部１１が、媒体センサ１５より、媒体１０が検出されたことを取得すると（ステップＳ４でＹｅｓ、図１４）、制御部１１は、ローラ移動部１２を制御して、ローラ８Ａを当接位置Ｐ１から退避位置Ｐ０へ動かす（ステップＳ７、図１５）。ここで、図１４に示される状態では、カートリッジ２４内からローラ８Ａによって動かされた媒体１０が第二ローラ９によって搬送路Ｌに沿って搬送可能な位置まで移動している。すなわち、本実施形態では、図１４に示される状態では、ローラ８Ａによる媒体１０の搬送は不要となる。次に、制御部１１は、ローラ回動部１３を制御してローラ８Ａを初期角度Ｒ０に回動させる（ステップＳ８）。このステップＳ８により、ローラ移動部１２、ローラ回動部１３、およびローラ８Ａは、図１１の状態、すなわち、次の媒体１０の取り出しの待機状態に戻る。また、制御部１１は、第二ローラ回動部１６を制御し、取り出された媒体１０（図１５の右側の媒体１０）をカートリッジ２４の外側へさらに搬送する。
【００２９】
一方、ローラ８Ａの回動角度が所定角度を超えたにも拘わらず（ステップＳ３でＹｅｓ）、媒体センサ１５によって媒体１０が検出されなかった場合（ステップＳ４でＮｏ）、制御部１１は、第二の所定角度を超えるまでは（ステップＳ５でＮｏ）、ステップＳ２〜Ｓ４を繰り返す。一方、制御部１１は、媒体センサ１５によって媒体１０が検出されないまま（ステップＳ４でＮｏ）、ローラ８Ａの回動角度が第二の所定角度を超えた場合（ステップＳ５でＹｅｓ）、制御部１１は、出力部１７を制御して、異常を知らせる報知を実行する（ステップＳ６）。ステップＳ６の後は、ステップＳ７およびステップＳ８に進む。上記ステップＳ５における第二の所定角度は、ローラ８Ａが、初期角度Ｒ０から複数回（例えば２回）回動する角度（例えば、７２０°）に設定することができる。この場合は、ローラ８Ａの一回目の回動で媒体１０の取り出しがうまくいかなくても、二回目の回動で媒体１０を取り出すことが可能となる。
【００３０】
ここで、図１２〜１５を参照すれば、本実施形態では、ローラ８Ａの回動ならびに移動に伴って、ローラ８Ａと媒体１０との接触位置と回動軸Ａｘとの距離が上下方向に変化しているのが理解できよう。すなわち、本実施形態では、一例として、ローラ８Ａの外周面８ａが、曲面部８ｂ（凸部）と平面部８ｃ（凹部）とを有しているため、ローラ８Ａの回動に伴って、上記距離が変化する。そして、この距離の変化に伴って、積み重ねられた複数の媒体１０のスタック１０Ｓが、上下に移動していることが理解できよう。このように、媒体１０（スタック１０Ｓ）が、ローラ８Ａの回動によって、その積み重ねられた方向（媒体１０の厚さ方向、上下方向、本実施形態では、一例として上方）に動かされることにより、隣り合う媒体１０が分離されやすくなり、最も下に位置する媒体１０がスタック１０Ｓからより円滑に取り出されやすい。
【００３１】
さらに、本実施形態では、一例として、ローラ８Ａが当接位置Ｐ１から退避位置Ｐ０に移動することにより、媒体１０のスタック１０Ｓが、下方（媒体１０の厚さ方向）に動かされる。よって、かかる構成ならびに動作によっても、隣り合う媒体１０が分離されやすくなり、最も下に位置する媒体１０がスタック１０Ｓからより円滑に取り出されやすい。
【００３２】
また、本実施形態では、一例として、ローラ８Ａの外周面８ａが平面部８ｃを有している。よって、本実施形態によれば、一例としては、当該平面部８ｃが無い場合に比べて、媒体１０の面１０ｂとローラ８Ａの外周面８ａとが接触する領域がより広い。よって、平面部８ｃと面１０ｂとが接触した状態で、これらの間の摩擦力、すなわち、ローラ８Ａから媒体１０に伝達される回動力（移送力、押力）がより高まりやすい。よって、一例としては、媒体１０がローラ８Ａによってより移送されやすい。また、一例としては、最も下に位置する媒体１０が、その上側で積み重ねられた媒体１０のスタック１０Ｓからより分離しやすい。
【００３３】
また、本実施形態では、一例として、ローラ８Ａの外周面８ａが平面部８ｃより径外方向に突出した曲面部８ｂを有している。よって、本実施形態によれば、一例としては、曲面部８ｂあるいは平面部８ｃと曲面部８ｂとの境界部（角部）に媒体１０が引っ掛かりやすくなる。よって、一例としては、媒体１０がローラ８Ａによってより移送されやすい。
【００３４】
以上、説明したように、本実施形態では、一例として、ローラ８Ａが、回動することにより、上下方向に積み重ねられた複数の媒体１０（スタック１０Ｓ）を上方または下方へ動かすよう構成されている。よって、本実施形態によれば、一例としては、最も下に位置する媒体１０がカートリッジ２４からより円滑に取り出されやすい。
【００３５】
＜第１変形例＞
本変形例では、図１６に示されるように、ローラ８Ｂの位置が上記実施形態とは相違している。この変形例では、ローラ８Ｂが回動される前は、図１６に示されるように、媒体１０の面１０ｂには、平面部８ｃが接触している。ローラ８Ｂが図１６で時計回りに回動すると、媒体１０の面１０ｂには曲面部８ｂが接触する。ここで、本変形例では、曲面部８ｂの周長（図１６における円弧の長さ）と、媒体１０の長さ（図１６における面１０ｂの長さ）とが略同じに設定されている。したがって、ローラ８Ｂが回動して媒体１０を搬送している間は、媒体１０は、曲面部８ｂに接触する。よって、媒体１０およびスタック１０Ｓが、ローラ８Ｂにより、当該ローラ８Ｂの回動が開始する前より上方に動かされ、ローラ８Ｂの回動が終了して媒体１０が取り出されると、収容部２４ｇ内の媒体１０およびスタック１０Ｓは下方へ移動する。よって、本変形例によっても、媒体１０およびスタック１０Ｓが、ローラ８Ｂの回動に伴って上方または下方へ動く。上記以外の構成は、上記実施形態と同様である。よって、本変形例によっても、上記実施形態と同様の構成に基づく同様の作用ならびに結果（効果）が得られる。なお、本変形例では、媒体１０が取り出された後、ローラ８Ｂを、当接位置Ｐ１にある状態のままで初期角度Ｒ０まで回動することができる。媒体１０が送り出された後は、当接位置Ｐ１にあるローラ８Ｂの平面部８ｃが媒体１０に対向する状態となるが、この状態では、平面部８ｃと媒体１０とが離間しているからである。
【００３６】
＜第２変形例＞
本変形例では、図１７に示されるように、ローラ８Ｃの形状が、上記実施形態や変形例とは相違している。この変形例では、ローラ８Ｃの回動軸Ａｘと直交する断面が、多角形状（本変形例では、一例として六角形状）である。すなわち、ローラ８Ｃは、複数（本変形例では、一例として六つ）の平面部８ｃ（凹部）を有する。また、多角形の角部は丸められ（曲面状に形成され）、当該角部に対応して複数（本変形例では、一例として六つ）の曲面部８ｂが設けられている。ローラ８Ｃは、上記実施形態あるいは上記変形例のローラ８Ａ，８Ｂに替えて設けることができる。かかる構成でも、ローラ８Ａの回動に伴って、ローラ８Ｃと媒体１０との接触位置と回動軸Ａｘとの距離が上下方向に変化する。よって、本変形例によっても、一例としては、上記実施形態や上記変形例と同様の結果（効果）が得られる。ただし、本変形例では、ローラ８Ｃの単位回動角度あたりの凹凸が変化する頻度が、上記実施形態や変形例より高い。すなわち、ローラ８Ｃの回動に伴って媒体１０がカートリッジ２４内から取り出されるまでの間に、媒体１０ならびにスタック１０Ｓが複数回に亘って、上方および下方に移動することができる。よって、本変形例によれば、一例としては、隣接する媒体１０同士がより分離されやすい場合がある。よって、一例としては、最も下に位置する媒体１０がカートリッジ２４からより円滑に取り出されやすくなる場合がある。また、曲面部８ｂならびに平面部８ｃの数が増えるほど、媒体１０（スタック１０Ｓ）の上下方向の移動距離が小さくなる。すなわち、一例としては、多角形の角数（辺数）によって、複数の媒体１０（スタック１０Ｓ）の上下方向の移動距離を適宜に設定することができる。
【００３７】
＜第３変形例＞
本変形例では、図１８に示されるように、ローラ８Ｄの形状が、上記実施形態や変形例とは相違している。この変形例では、ローラ８Ｄは、楕円状である。ローラ８Ｄは、上記実施形態あるいは上記変形例のローラ８Ａ，８Ｂ，８Ｃに替えて設けることができる。本変形例でも、ローラ８Ｄの回動に伴って、ローラ８Ｄと媒体１０との接触位置と回動軸Ａｘとの距離が上下方向に変化する。よって、本変形例によっても、一例としては、上記実施形態や上記変形例と同様の結果（効果）が得られる。また、本変形例によれば、比較的簡素な構成で上記結果が得られるローラ８Ｄを得ることができる。
【００３８】
＜第４変形例＞
本変形例では、図１９に示されるように、ローラ８Ｅの形状が、上記実施形態や変形例とは相違している。この変形例では、ローラ８Ｅは、偏心した円柱状（円筒状）である。すなわち、外周面８ａの中心が、回動軸Ａｘから外れて（離間して、ずれて）位置されている。ローラ８Ｅは、上記実施形態あるいは上記変形例のローラ８Ａ，８Ｂ，８Ｃ，８Ｄに替えて設けることができる。本変形例でも、ローラ８Ｅの回動に伴って、ローラ８Ｅと媒体１０との接触位置と回動軸Ａｘとの距離が上下方向に変化する。よって、本変形例によっても、一例としては、上記実施形態や上記変形例と同様の結果（効果）が得られる。また、本変形例によれば、比較的簡素な構成で上記結果が得られるローラ８Ｅを得ることができる。
【００３９】
以上、本発明の実施形態や変形例を例示したが、上記実施形態や変形例はあくまで一例であって、発明の範囲を限定することは意図していない。これら実施形態や変形例は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。また、各実施形態や変形例の構成や形状は、部分的に入れ替えて実施することも可能である。また、各構成要素のスペック（構造や、種類、方向、形状、大きさ、長さ、幅、厚さ、高さ、数、配置、位置、材質等）は、適宜に変更して実施することができる。例えば、ローラにおける凸部や、凹部、平面部等のスペックや、楕円の形状、偏心ローラの偏心量（距離）等を適宜に設定することにより、複数の媒体の動かし方（方向や、量、タイミング等）を種々に設定することが可能である。
【符号の説明】
【００４０】
１…媒体処理装置、２…媒体供給部（媒体取出装置）、３Ａ〜３Ｃ…印画部（処理部）、３Ｄ…印字部（処理部）、４…紫外線保護層形成部（処理部）、５…表面保護層形成部（処理部）、８Ａ〜８Ｅ…ローラ、８ａ…外周面、８ｂ…曲面部（凸部）、８ｃ…平面部（凹部）、１０…媒体、１０ｂ…面（下面）、２３…キャリッジ（保持部）、２４…カートリッジ（保持部）。
【図１】
2014058111.tif 000003
【図２】
2014058111.tif 000004
【図３】
2014058111.tif 000005
【図４】
2014058111.tif 000006
【図７】
2014058111.tif 000007
【図８】
2014058111.tif 000008
【図９】
2014058111.tif 000009
【図１０】
2014058111.tif 000010
【図１１】
2014058111.tif 000011
【図１２】
2014058111.tif 000012
【図１３】
2014058111.tif 000013
【図１４】
2014058111.tif 000014
【図１５】
2014058111.tif 000015
【図１６】
2014058111.tif 000016
【図１７】
2014058111.tif 000017
【図１８】
2014058111.tif 000018
【図１９】
2014058111.tif 000019
【図５】
2014058111.tif 000020
【図６】
2014058111.tif 000021